【手続補正書】
【提出日】平成17年2月23日(2005.2.23)
【手続補正１】
【補正対象書類名】特許請求の範囲
【補正対象項目名】全文
【補正方法】変更
【補正の内容】
【特許請求の範囲】
【請求項１】
可変速フレームレート撮像画像の画像信号を生成する画像信号生成手段と、
前記画像信号の記録再生を行う信号記録再生手段と、
前記画像信号生成手段で生成された画像信号と前記信号記録再生手段で再生された画像信号のフレームレートを表示フレームレートに変換するフレームレート変換手段と、
前記フレームレート変換手段によって表示フレームレートとされた画像信号を用いて、モニタ画信号を生成するモニタ画信号生成手段と、
前記画像信号生成手段と前記信号記録再生手段の動作を制御する制御手段とを有し、
前記信号記録再生手段で前記画像信号の記録中に、該信号記録再生手段に記録された画像信号の再生指示がなされたとき、前記制御手段は、前記信号記録再生手段によって、前記記録された画像信号を再生フレームレートで再生させるとともに、前記モニタ画信号生成手段によって、前記画像信号生成手段で生成された画像信号に基づく撮像画像と前記信号記録再生手段で再生された画像信号に基づく再生画像を一画面に表示するモニタ画信号を生成させる
ことを特徴とする撮像装置。
【請求項２】
前記制御手段は、前記再生指示として画像確認操作が行われたとき、該画像確認操作が行われたときの記録位置から予め設定したフレーム数前の位置を前記信号記録再生手段の再生開始位置とする
ことを特徴とする請求項１記載の撮像装置。
【請求項３】
前記制御手段は、前記可変速フレームレート撮像画像のフレームレートの変更を前記再生指示として用い、該変更が行われたときの記録位置から予め設定したフレーム数分までを前記信号記録再生手段の再生位置とする
ことを特徴とする請求項１記載の撮像装置。
【請求項４】
前記制御手段は、変更後の可変速フレームレートが前記再生フレームレートよりも高いとき、前記再生指示とともに前記信号記録再生手段で再生動作を開始させるものとし、前記変更後の可変速フレームレートが前記再生フレームレートよりも低いとき、再生動作の開始を前記変更後の可変速フレームレートに応じて前記再生指示から遅延させる
ことを特徴とする請求項３記載の撮像装置。
【請求項５】
信号記録再生装置と接続される撮像装置において、
前記撮像装置は、
可変速フレームレート撮像画像の画像信号を生成する画像信号生成手段と、
前記画像信号生成手段で生成された画像信号と前記信号記録再生装置から供給された画像信号のフレームレートを表示フレームレートに変換するフレームレート変換手段と、
前記フレームレート変換手段で、表示フレームレートとされた画像信号を用いて、モニタ画信号を生成するモニタ画信号生成手段と、
前記画像信号生成手段と前記信号記録再生装置の動作を制御する制御手段とを有し、
前記信号記録再生装置で前記画像信号の記録中に、該信号記録再生装置に記録された画像信号の再生指示がなされたとき、前記制御手段は、前記信号記録再生装置によって、前記記録された画像信号を再生フレームレートで再生させるとともに、前記モニタ画信号生成手段によって、前記画像信号生成手段で生成された画像信号に基づく撮像画像と前記信号記録再生装置で再生された画像信号に基づく再生画像を一画面に表示するモニタ画信号を生成させる
ことを特徴とする撮像装置。
【請求項６】
前記制御手段は、前記再生指示として画像確認操作が行われたとき、該画像確認操作が行われたときの記録位置から予め設定したフレーム数前の位置を前記信号記録再生装置における再生開始位置とする
ことを特徴とする請求項５記載の撮像装置。
【請求項７】
前記制御手段は、前記可変速フレームレート撮像画像のフレームレートの変更を前記再生指示として用い、該変更が行われたときの記録位置から予め設定したフレーム数分までを前記信号記録再生装置における再生位置とする
ことを特徴とする請求項５記載の撮像装置。
【請求項８】
前記制御手段は、変更後の可変速フレームレートが前記再生フレームレートよりも高いとき、前記再生指示とともに前記信号記録再生装置で再生動作を開始させるものとし、前記変更後の可変速フレームレートが前記再生フレームレートよりも低いとき、再生動作の開始を前記変更後の可変速フレームレートに応じて前記再生指示から遅延させる
ことを特徴とする請求項７記載の撮像装置。
【請求項９】
可変速フレームレート撮像画像の画像信号を生成する画像信号生成部と、
前記画像信号の記録再生を行う信号記録再生部と、
前記画像信号生成部で生成された画像信号と前記信号記録再生部で再生された画像信号のフレームレートを表示フレームレートに変換するフレームレート変換部と、
前記フレームレート変換部によって表示フレームレートとされた画像信号を用いて、モニタ画信号を生成するモニタ画信号生成部と、
前記画像信号生成部と前記信号記録再生部の動作を制御するコントローラとを有し、
前記信号記録再生部で前記画像信号の記録中に、該信号記録再生部に記録された画像信号の再生指示がなされたとき、前記コントローラは、前記信号記録再生部によって、前記記録された画像信号を再生フレームレートで再生させるとともに、前記モニタ画信号生成部によって、前記画像信号生成部で生成された画像信号に基づく撮像画像と前記信号記録再生部で再生された画像信号に基づく再生画像を一画面に表示するモニタ画信号を生成させる
ことを特徴とする撮像装置。
【手続補正２】
【補正対象書類名】明細書
【補正対象項目名】０００９
【補正方法】変更
【補正の内容】
【０００９】
また、信号記録再生装置と接続される撮像装置において、この撮像装置は、可変速フレームレート撮像画像の画像信号を生成する画像信号生成手段と、画像信号生成手段で生成された画像信号と信号記録再生装置から供給された画像信号のフレームレートを表示フレームレートに変換するフレームレート変換手段と、フレームレート変換手段で、表示フレームレートとされた画像信号を用いて、モニタ画信号を生成するモニタ画信号生成手段と、画像信号生成手段と信号記録再生装置の動作を制御する制御手段とを有し、信号記録再生装置で画像信号の記録中に、該信号記録再生装置に記録された画像信号の再生指示がなされたとき、制御手段は、信号記録再生装置によって、記録された画像信号を再生フレームレートで再生させるとともに、モニタ画信号生成手段によって、画像信号生成手段で生成された画像信号に基づく撮像画像と信号記録再生装置で再生された画像信号に基づく再生画像を一画面に表示するモニタ画信号を生成させるものである。
また、撮像装置は、可変速フレームレート撮像画像の画像信号を生成する画像信号生成部と、画像信号の記録再生を行う信号記録再生部と、画像信号生成部で生成された画像信号と信号記録再生部で再生された画像信号のフレームレートを表示フレームレートに変換するフレームレート変換部と、フレームレート変換部によって表示フレームレートとされた画像信号を用いて、モニタ画信号を生成するモニタ画信号生成部と、画像信号生成部と信号記録再生部の動作を制御するコントローラとを有し、信号記録再生部で画像信号の記録中に、該信号記録再生部に記録された画像信号の再生指示がなされたとき、コントローラは、信号記録再生部によって、記録された画像信号を再生フレームレートで再生させるとともに、モニタ画信号生成部によって、画像信号生成部で生成された画像信号に基づく撮像画像と信号記録再生部で再生された画像信号に基づく再生画像を一画面に表示するモニタ画信号を生成させるものである。
【手続補正３】
【補正対象書類名】明細書
【補正対象項目名】００２５
【補正方法】変更
【補正の内容】
【００２５】
モニタ画信号生成部４１は、後述する制御部５０からのモニタ出力制御信号ＣＭＴに基づき、画像信号ＤＶb'に基づく画像と画像信号ＤＶr'に基づく画像を１画面上に表示する画像信号ＤＶp（図示せず）を生成する。さらに、画像信号ＤＶb'，ＤＶr'あるいは生成した画像信号ＤＶpの何れかを選択してモニタ画信号ＤＭＴoutとして電子ビューファインダーやモニタ装置に供給する。また、アナログの信号を出力する場合には、Ｄ／Ａ変換部４２でモニタ画信号ＤＭＴoutをアナログのモニタ画信号ＳＭＴoutに変換して出力する。
【手続補正４】
【補正対象書類名】図面
【補正対象項目名】図５
【補正方法】変更
【補正の内容】
【図５】
2005039714.tif 000001